(57)【要約】【課題】光源の数量を増やすことなく、従来よりも均一な発光態様を実現する。【解決手段】車両用灯具１は、ＬＥＤ４と、ＬＥＤ４に対向配置されるとともにシボ加工が施され、ＬＥＤ４から出射された光を拡散させつつ前方へ反射させる第一反射面５２ａと、第一反射面５２ａの前方に配置されるとともに乳白色の透光材料で形成され、第一反射面５２ａで反射された光を拡散させつつ前方へ透過させるインナーレンズ６とを備える。【選択図】図３
2014186827.tif 000002
【特許請求の範囲】
【請求項１】
光源と、
前記光源に対向配置されるとともに拡散反射加工が施され、前記光源から出射された光を拡散させつつ前方へ反射させる反射面と、
前記反射面の前方に配置されるとともに乳白色の透光材料で形成され、前記反射面で反射された光を拡散させつつ前方へ透過させるレンズ部材と、
を備えることを特徴とする車両用灯具。
【請求項２】
一の前記反射面を有するリフレクタと、
前面が開口するとともに、前記光源、前記レンズ部材及び前記リフレクタを内部に収容するハウジングと、
を備え、
前記ハウジングは、前記リフレクタの前記一の反射面に隣接する他の前記反射面を有し、
前記光源は、前記リフレクタの前記一の反射面に対向するものと、前記ハウジングの前記他の反射面に対向するものとの複数が、当該一の反射面と当該他の反射面との隣接方向に沿って配列され、
前記レンズ部材は、前記一の反射面と前記他の反射面との両方の前方に亘って配置されていることを特徴とする請求項１に記載の車両用灯具。
【請求項３】
前記反射面には、前記拡散反射加工としてシボ加工が施されていることを特徴とする請求項１又は２に記載の車両用灯具。
【請求項４】
当該車両用灯具が、車両後部のリフトゲートに設けられるリッドランプであることを特徴とする請求項１〜３の何れか一項に記載の車両用灯具。
【発明の詳細な説明】
【技術分野】
【０００１】
本発明は、車両用灯具に関する。
【背景技術】
【０００２】
従来、車両に搭載される各種の車両用灯具として、図５に示すように、光源からの光をリフレクタなどで配光制御した後にインナーレンズ及びアウターレンズを透過させて前方へ照射するものが知られている。この種の車両用灯具では、アウターレンズが素通しとされるのに対してインナーレンズはシボ加工を施したものとされており、当該インナーレンズによってリフレクタ（反射面）からの反射光を拡散させることで、輝度ムラの無い均一な発光態様の実現を図っている（例えば、特許文献１参照）。
【先行技術文献】
【特許文献】
【０００３】
【特許文献１】特開２０１２−９１９１号公報
【発明の概要】
【発明が解決しようとする課題】
【０００４】
しかしながら、シボ加工を施したインナーレンズによる拡散では、シボ加工面の凹凸によって光を屈折させるだけのものであるため、その拡散光量が十分ではなく、発光態様の均一化も十分ではなかった。そのため、より確実に輝度ムラの無い均一な発光態様を実現しようとすると、光源（例えば発光ダイオード）の数量を増やすといった別の構成による対策が必要であった。
【０００５】
本発明は、上記事情を鑑みてなされたもので、光源の数量を増やすことなく、従来よりも均一な発光態様を実現することができる車両用灯具の提供を課題とする。
【課題を解決するための手段】
【０００６】
上記課題を解決するために、請求項１に記載の発明は、車両用灯具において、
光源と、
前記光源に対向配置されるとともに拡散反射加工が施され、前記光源から出射された光を拡散させつつ前方へ反射させる反射面と、
前記反射面の前方に配置されるとともに乳白色の透光材料で形成され、前記反射面で反射された光を拡散させつつ前方へ透過させるレンズ部材と、
を備えることを特徴とする。
【０００７】
請求項２に記載の発明は、請求項１に記載の車両用灯具において、
一の前記反射面を有するリフレクタと、
前面が開口するとともに、前記光源、前記レンズ部材及び前記リフレクタを内部に収容するハウジングと、
を備え、
前記ハウジングは、正面視で前記リフレクタの前記一の反射面に隣接する他の前記反射面を有し、
前記光源は、前記リフレクタの前記一の反射面に対向するものと、前記ハウジングの前記他の反射面に対向するものとの複数が、当該一の反射面と当該他の反射面との隣接方向に沿って配列され、
前記レンズ部材は、前記一の反射面と前記他の反射面との両方の前方に亘って配置されていることを特徴とする。
【０００８】
請求項３に記載の発明は、請求項１又は２に記載の車両用灯具において、
前記反射面には、前記拡散反射加工としてシボ加工が施されていることを特徴とする。
【０００９】
請求項４に記載の発明は、請求項１〜３の何れか一項に記載の車両用灯具において、
当該車両用灯具が、車両後部のリフトゲートに設けられるリッドランプであることを特徴とする。
【発明の効果】
【００１０】
本発明によれば、光源から出射された光が、拡散反射加工を施した反射面によって拡散されつつ前方へ反射された後に、乳白色の透光材料で形成されたレンズ部材によって更に拡散されつつ前方へ透過される。これにより、シボ加工が施されたインナーレンズによる従来の拡散に比べ、乳白色のレンズ部材によって透過光の全光線透過率を下げて拡散率を増加させることができるうえに、拡散反射加工が施された反射面によって更に拡散光量を増やすことができる。したがって、光源の数量を増やすことなく、従来よりも拡散光量を増やして、より均一な発光態様を実現することができる。
【図面の簡単な説明】
【００１１】
【図１】実施形態における車両用灯具の要部の分解斜視図である。
【図２】実施形態における車両用灯具の要部の正面図である。
【図３】図２のIII−III線での断面図である。
【図４】図２のIV−IV線での断面図である。
【図５】従来の車両用灯具の縦断面図である。
【発明を実施するための形態】
【００１２】
以下、本発明の実施形態について、図面を参照して説明する。
【００１３】
＜車両用灯具の構成＞
図１は、本実施形態における車両用灯具１の要部の分解斜視図であり、図２は、車両用灯具１の要部の正面図であり、図３及び図４は、図２のIII−III線及びIV−IV線での断面図である。
【００１４】
車両用灯具１は、車両後部のリフトゲート（図示せず）の左右両側端にそれぞれ設けられるリッドランプである。
なお、以下の説明では、「前」「後」「左」「右」「上」「下」との記載は、特に断りのない限り、車両用灯具１から見た方向、すなわち、図示しない車両から見た方向とは前後左右を逆にした方向を意味するものとする。また、車両用灯具１は車両（リフトゲート）の左右両側端にそれぞれ設けられるものであるが、この左右２つの車両用灯具１，１は互いに左右対称構造となっているため、以下では、車両の後部右側に設けられる車両用灯具１のみについて説明し、車両の後部左側に設けられるものについての説明は省略する。
【００１５】
具体的には、図１〜図４に示すように、車両用灯具１は、前面が開口したハウジング２と、当該ハウジング２の前面開口を覆う素通しのアウターレンズ３とを備えている。
なお、図１及び図２では、車両用灯具１のうち、当該車両用灯具１が設けられる図示しないリフトゲートの左端側に位置する左側下部のみを図示している。また、図２では、アウターレンズ３の図示を省略している。
【００１６】
ハウジング２は、その左端がリフトゲートの左端に略一致するように配置されており、その略左半部では前後方向の奥行きが制限されている。そのため、ハウジング２の後板部は、その略左半部が他の部分よりも前方に迫り出している。また、このハウジング２の後板部のうちの略左半部には、第二反射面２ａが設けられている。この第二反射面２ａの詳細については後述する。
【００１７】
ハウジング２とアウターレンズ３とで画成される灯室の内部には、３つのＬＥＤ（発光ダイオード）４，…と、リフレクタ５と、インナーレンズ６とが収容されている。つまり、これら３つのＬＥＤ４，…、リフレクタ５及びインナーレンズ６は、ハウジング２の内部に収容されている。
【００１８】
このうち、３つのＬＥＤ４，…は、それぞれ発光面を下方へ向けた状態で、左右方向に略沿って等間隔に配列され、共通する基板４１の下面に実装されている。基板４１は図示しないブラケットに固定されており、複数のＬＥＤ４，…と当該基板４１及びブラケットとでＬＥＤユニットが構成されている。
【００１９】
リフレクタ５は、正面視で左右方向に長尺な矩形状の外枠部５１を有しており、この外枠部５１の上辺部が基板４１の前方に位置するように配置されている。外枠部５１の内側部分は、前後方向に貫通する開口部５１ａとなっており、外枠部５１には、正面視で当該開口部５１ａのうちの略左半部を覆う反射板部５２が設けられている。
【００２０】
反射板部５２は、外枠部５１の下辺部のうちの略左半部から後上がりに延出しつつ上方へ反るように湾曲する湾曲板状に形成されるとともに、左右方向と直交する断面が略一様な形状に形成されている。この反射板部５２の上面（前面）は、前方斜め上方へ開口する凹面状に形成された第一反射面５２ａとなっている。
【００２１】
第一反射面５２ａは、３つのＬＥＤ４，…のうち、右側の２つのＬＥＤ４，４の下方を覆うように左右方向へ延在した状態に配置され、当該２つのＬＥＤ４，４の発光面に対向配置されている。また、第一反射面５２ａには、アルミニウム皮膜が蒸着されるとともに、反射光を拡散させるためのシボ加工が施されている。このような構成により、第一反射面５２ａは、右側の２つのＬＥＤ４，４から下方へ出射された光を、拡散させつつ前方へ反射させる。
なお、第一反射面５２ａは、ＬＥＤ４からの光を拡散反射可能なように形成されていればよく、シボ加工以外の拡散反射加工（例えば、マット加工や、つや消し白色塗装など）が施されたものであってもよい。
【００２２】
また、リフレクタ５の外枠部５１の開口部５１ａのうち、正面視で反射板部５２に覆われていない略右半部には、ハウジング２に設けられた上述の第二反射面２ａが前方に露出している。言い換えれば、第二反射面２ａは、ハウジング２の後板部のうち、リフレクタ５の反射板部５２（第一反射面５２ａ）と左右方向に隣接する部分の前面に設けられている。
【００２３】
第二反射面２ａは、第一反射面５２ａと同様に、左右方向と直交する断面形状が略一様であって、前方斜め上方へ開口する凹面状に形成されている。この第二反射面２ａは、３つのＬＥＤ４，…のうち、最も左側のＬＥＤ４の下方を覆うように左右方向へ延在しており、当該ＬＥＤ４の発光面に対向配置されている。また、第二反射面２ａは、所定の表面粗さに成形されてライトグレー色又は白色とされたハウジング２の素地面に、反射光を拡散させるためのシボ加工が施された面となっている。このような構成により、第二反射面２ａは、最も左側のＬＥＤ４から下方へ出射された光と、左右方向中央のＬＥＤ４から下方へ出射された光の一部とを、拡散させつつ前方へ反射させる。
なお、第二反射面２ａは、ＬＥＤ４からの光を拡散反射可能なように形成されていればよく、シボ加工以外の拡散反射加工（例えば、マット加工や、つや消し白色塗装など）が施されたものであってもよい。
【００２４】
インナーレンズ６は、前後方向と略直交する矩形平板状に形成されるとともに、その周縁部が後方へ突出した形状に形成されている。このインナーレンズ６は、リフレクタ５の外枠部５１よりも一回り小さいサイズに形成されており、この外枠部５１の開口部５１ａを前方から覆いつつ、周縁部が当該外枠部５１に支持されている。したがって、インナーレンズ６は、リフレクタ５の第一反射面５２ａとハウジング２の第二反射面２ａとの両方の前方に亘って配置されている。また、インナーレンズ６は、乳白色の透光材料で形成されており、本実施形態では、乳白色のＰＭＭＡ（アクリルガラス）で形成されている。このような構成により、インナーレンズ６は、３つのＬＥＤ４，…から下方へ出射されて、リフレクタ５の第一反射面５２ａ及びハウジング２の第二反射面２ａで前方へ反射された光を、拡散させつつ前方へ透過させる。また、インナーレンズ６は、乳白色の透光材料で形成されていることにより、車両用灯具１の非点灯時に当該インナーレンズ６を透して前方から灯具内部が視認されることを防止する。
なお、インナーレンズ６の材質は、乳白色の透光材料であればＰＭＭＡでなくともよく、例えばＰＣ（ポリカーボネート）などでもよい。また、インナーレンズ６には、透過光の拡散度合いを高める拡散剤が混入されていることが、より好ましい。
【００２５】
＜作用・効果＞
以上のように、本実施形態の車両用灯具１によれば、ＬＥＤ４から出射された光が、拡散反射加工を施した第一反射面５２ａ又は第二反射面２ａによって拡散されつつ前方へ反射された後に、乳白色の透光材料で形成されたインナーレンズ６によって更に拡散されつつ前方へ透過される。これにより、シボ加工が施されたインナーレンズによる従来の拡散に比べ、乳白色のインナーレンズ６によって透過光の全光線透過率を下げて拡散率を増加させることができるうえに、拡散反射加工が施された第一反射面５２ａ又は第二反射面２ａによって更に拡散光量を増やすことができる。したがって、ＬＥＤ４（光源）の数量を増やすことなく、従来よりも拡散光量を増やして、より均一な発光態様を実現することができる。
【００２６】
また、インナーレンズ６が乳白色の透光材料で形成されているので、シボ加工が施されたインナーレンズを用いていた従来と異なり、車両用灯具１の非点灯時に当該インナーレンズ６を透して前方から灯具内部が視認されることを防止することができる。したがって、非点灯時の見栄えを向上させることができる。
【００２７】
また、リフレクタ５の第一反射面５２ａとハウジング２の第二反射面２ａとが左右方向に隣接しており、インナーレンズ６がこれら第一反射面５２ａと第二反射面２ａとの両方の前方に亘って配置されているので、第一反射面５２ａと第二反射面２ａとで反射された光をインナーレンズ６によって好適に拡散させて、当該インナーレンズ６を均一に発光させることができる。つまり、異なる２つの反射面からの反射光であっても、これら２つの反射面の境界が判別できない程度に十分に拡散させて、インナーレンズ６を均一に発光させることができる。したがって、灯室の奥行きが制限されてリフレクタ５を配置できないような灯具端部であっても、当該端部のハウジング２部分に第二反射面２ａを設けて、その反射光をインナーレンズ６で拡散させることによって、リフレクタ５の第一反射面５２ａによる発光部分との間で輝度ムラを生じさせることなく、インナーレンズ６を均一に発光させることができる。
【００２８】
＜変形例＞
なお、本発明を適用可能な実施形態は、上述した実施形態に限定されることなく、本発明の趣旨を逸脱しない範囲で適宜変更可能である。
【００２９】
例えば、上記実施形態では、本発明に係る車両用灯具としてリッドランプを挙げて説明したが、本発明は、リッドランプ以外の車両用灯具にも広く適用可能である。
また、本発明に係る光源はＬＥＤでなくともよく、またその個数も特に限定されない。
【符号の説明】
【００３０】
１        車両用灯具
２        ハウジング
２ａ    第二反射面（他の反射面）
３        アウターレンズ
４        ＬＥＤ（光源）
５        リフレクタ
５２    反射板部
５２ａ  第一反射面（一の反射面）
６        インナーレンズ（レンズ部材）
【図１】
2014186827.tif 000003
【図２】
2014186827.tif 000004
【図３】
2014186827.tif 000005
【図４】
2014186827.tif 000006
【図５】
2014186827.tif 000007